(57)【要約】【課題】インキタンクの内圧上昇した状態でペン体を押圧操作してもインキの吹き出しを防止でき、しかも、インキタンク内に多量のインキを収容できる液式筆記具を提供する。【解決手段】ペン体３とインキタンク２との間に、ペン体３の後方への押圧により開放する第１の弁装置４を設ける。第１の弁装置４が、第１の弁体５と、第１の弾発体７と、第１の弁座６とからなる。第１の弁体５を後方に延設する。第１の弁体５の後端をインキタンク２の底壁近傍に位置させる。第１の弁体５の内部に前後方向の通気路５５を形成する。第１の弁体５の後端部に第２の弁装置８を設ける。ペン体３を後方に押圧したとき、第２の弁装置８がインキタンク２底壁と当接し開放される。第２の弁装置８が、第１の弁装置４が開放する以前に開放される。第２の弁装置８の開放により、インキタンク２内と外気とが第１の弁体５内の通気路５５を通して連通してなる。【選択図】  図１
2008137348.tif 000002
【特許請求の範囲】
【請求項１】
ペン体を後方に押圧することにより弁装置を開放させ、インキタンク内のインキをペン体に供給するタイプの液式筆記具であって、ペン体とインキタンクとの間に、ペン体の後方への押圧により開放する第１の弁装置を設け、前記第１の弁装置が、前記ペン体の前後方向の移動に伴い前後方向に移動可能な第１の弁体と、前記第１の弁体を前方に付勢する第１の弾発体と、前記第１の弁体が密接可能な第１の弁座とからなり、前記第１の弁体を後方に延設し、前記第１の弁体の後端をインキタンクの底壁近傍に位置させ、前記第１の弁体の内部に前後方向の通気路を形成し、前記第１の弁体の後端部に第２の弁装置を設け、ペン体を後方に押圧し、前記第１の弁体を後方に移動させたとき、前記第２の弁装置がインキタンク底壁と当接し、前記第１の弁装置が開放されるよりも以前に前記第２の弁装置が開放され、インキタンク内と外気とが第１の弁体内の通気路を通して連通してなることを特徴とする液式筆記具。
【請求項２】
前記第１の弁体と前記第１の弁座とが前後方向に液密摺動する請求項１記載の液式筆記具。
【請求項３】
前記第２の弁装置が、前後方向に移動可能な第２の弁体と、前記第２の弁体を後方に付勢する第２の弾発体と、前記第２の弁体が密接可能な第２の弁座とからなり、前記第１の弁体を後方に移動させたとき、前記第２の弁体がインキタンク底壁と当接可能である請求項１または２記載の液式筆記具。
【請求項４】
ペン体を後方に押圧することにより第１の弁装置が開放状態にあるとき、第２の弁装置が閉鎖状態にある請求項１乃至３のいずれかに記載の液式筆記具。
【請求項５】
第２の弁体の前後に前側シール部と後側シール部を設け、ペン体を後方に押圧しないとき、前側シール部と第２の弁座とが密接し、第２の弁装置が閉鎖状態にあり、ペン体を後方に押圧することによって第１の弁装置が開放する以前に、前側シール部と第２の弁座との密接が解除され且つ後側シール部と第２の弁座との密接が解除され、第２の弁装置が一時的に開放状態となり、さらにペン体を後方に押圧することによって第１の弁装置が開放状態にあるとき、後側シール部と第２の弁座とが密接し、第２の弁装置が閉鎖状態となる請求項３または４記載の液式筆記具。
【請求項６】
ペン体を後方に押圧することにより第１の弁装置が開放状態にあるとき、第２の弁体と第２の弁座との間の毛細間隙にインキが保持されることによって第２の弁装置が閉鎖状態となる請求項３または４記載の液式筆記具。
【発明の詳細な説明】
【技術分野】
【０００１】
本発明は、液式筆記具に関する。詳細には、ペン体を後方に押圧することにより弁装置を開放させ、インキタンク内のインキをペン体に供給するタイプの液式筆記具に関する。
【背景技術】
【０００２】
従来この種の液式筆記具において、温度変化によりインキタンク内の圧力が上昇した状態で、ペン体を押圧して弁装置を開放したときに、インキがペン体側より吹き出すことを防止するものとして、例えば、特許文献１、特許文献２が挙げられる。
【０００３】
前記特許文献１には、弁体の先端近傍及び末端にそれぞれ弁が設けられ、インキタンクの底部に空気導入用の弁孔が設けられ、前記末端の弁が前記空気導入用の弁孔を閉鎖してなる構造が開示されている。
【０００４】
また、前記特許文献２には、弁体に通気路を形成し、弁体の後端開口部をインキタンクのインキ未到達領域に位置させ、インキタンク内にその内容積の１／２未満のインキを収容した構造が開示されている。
【特許文献１】実開昭６２−１３１８７９号公報
【特許文献２】実公平４−３６２９３号公報
【発明の開示】
【発明が解決しようとする課題】
【０００５】
ところが、前記特許文献１の液式筆記具は、インキタンクの底部に弁孔が設けられるため、ペン体上向き状態で弁を開放させると、インキタンクの底部から外部にインキが漏出するおそれがある。また、前記特許文献２の液式筆記具は、インキタンク内にインキを多量に収容させることができない。
【０００６】
また、前記特許文献１の液式筆記具は、ペン体を後方に押圧して弁を開放した状態を維持すると、空気導入用の弁孔を介してインキタンク内に空気が導入され続けられ、特許文献２の液式筆記具は、ペン体を後方に押圧して弁を開放した状態を維持すると、通気路を介してインキタンク内に空気が導入され続けられる。即ち、前記特許文献１及び特許文献２の液式筆記具は、ペン体を後方に押圧して弁を開放した状態を維持すると、インキタンク内に空気が導入され続けられるため、インキがペン体に過剰に供給されて、インキがペン体側より漏出するおそれがある。
【０００７】
本発明は、前記従来の問題点を解決するものであって、インキタンクの内圧上昇した状態でペン体を押圧操作してもインキの吹き出しを防止でき、しかも、インキタンク内に多量のインキを収容でき、さらに、ペン体押圧時のペン体にインキが過剰に供給されるおそれがない液式筆記具を提供しようとするものである。
【課題を解決するための手段】
【０００８】
本願の第１の発明は、ペン体３を後方に押圧することにより弁装置を開放させ、インキタンク２内のインキをペン体３に供給するタイプの液式筆記具であって、ペン体３とインキタンク２との間に、ペン体３の後方への押圧により開放する第１の弁装置４を設け、前記第１の弁装置４が、前記ペン体３の前後方向の移動に伴い前後方向に移動可能な第１の弁体５と、前記第１の弁体５を前方に付勢する第１の弾発体７と、前記第１の弁体５が密接可能な第１の弁座６とからなり、前記第１の弁体５を後方に延設し、前記第１の弁体５の後端をインキタンク２の底壁近傍に位置させ、前記第１の弁体５の内部に前後方向の通気路５５を形成し、前記第１の弁体５の後端部に第２の弁装置８を設け、ペン体３を後方に押圧し、前記第１の弁体５を後方に移動させたとき、前記第２の弁装置８がインキタンク２底壁と当接し、前記第１の弁装置４が開放されるよりも以前に前記第２の弁装置８が開放され、インキタンク２内と外気とが第１の弁体５内の通気路５５を通して連通してなることを特徴とする。（図１乃至図１０参照）
【０００９】
前記第１の発明の液式筆記具１は、ペン体３を後方に押圧したとき、第１の弁装置４の開放よりも以前に前記第２の弁装置８が開放され、インキタンク２内と外気とが第１の弁体５内の通気路５５を通して連通される構造のため、温度上昇等によりインキタンク２内の圧力が上昇した状態でペン体３を押圧操作した場合でも、インキの吹き出しを防止できる。
【００１０】
また、前記第１の発明の液式筆記具１は、ペン体３の下向き状態で、インキタンク２の底壁近傍（即ちインキタンク２の底壁近傍の第２の弁装置８の弁孔より下方位置）までインキタンク２内部にインキを収容することができ、インキタンク２内に多量のインキを収容することができる。
【００１１】
本願の第２の発明は、前記第１の発明において、前記第１の弁体５と前記第１の弁座６とが前後方向に液密摺動することを特徴とする。（図１乃至図１０参照）
【００１２】
前記第２の発明の液式筆記具１は、第１の弁体５が前後方向に一定距離移動する間、第１の弁装置４の閉鎖状態が維持される。それにより、ペン先を後方へ押圧する過程で、第１の弁装置４が開放するよりも以前に第２の弁装置８を開放させることが可能となる。
【００１３】
本願の第３の発明は、前記第１または第２の発明において、前記第２の弁装置８が、前後方向に移動可能な第２の弁体９と、前記第２の弁体９を後方に付勢する第２の弾発体１１と、前記第２の弁体９が密接可能な第２の弁座１０とからなり、前記第１の弁体５を後方に移動させたとき、前記第２の弁体９がインキタンク２底壁と当接可能であることを特徴とする。（図１乃至図１０参照）
【００１４】
前記第３の発明の液式筆記具１は、第２の弁装置８の確実な開閉作動が得られる。
【００１５】
本願の第４の発明は、前記第１、第２または第３の発明において、ペン体３を後方に押圧することにより第１の弁装置４が開放状態にあるとき、第２の弁装置８が閉鎖状態となることを特徴とする。（図１乃至図１０参照）
【００１６】
前記第４の発明の液式筆記具１は、ペン体３を後方に押圧して第１の弁装置４の開放状態を維持したとき、第１の弁体５の通気路５５を通してインキタンク２内に外気が導入され続けられることがない。そのため、ペン体押圧時、開放された第１の弁装置４を通してインキと外気とが適正に交替し、ペン体押圧時にペン体３にインキが過剰に供給されるおそれがない。
【００１７】
本願の第５の発明は、前記第３または第４の発明において、第２の弁体９の前後に前側シール部９１１と後側シール部９２１を設け、ペン体３を後方に押圧しないとき、前側シール部９１１と第２の弁座１０とが密接し、第２の弁装置８が閉鎖状態にあり、ペン体３を後方に押圧することによって第１の弁装置４が開放する以前に、前側シール部９１１と第２の弁座１０との密接が解除され且つ後側シール部９２１と第２の弁座１０との密接が解除され、第２の弁装置８が一時的に開放状態となり、さらにペン体３を後方に押圧することによって第１の弁装置４が開放状態にあるとき、後側シール部９２１と第２の弁座１０とが密接し、第２の弁装置８が閉鎖状態となることを特徴とする。（図１乃至図５参照）
【００１８】
前記第５の発明の液式筆記具１は、第１の弁装置４が開放状態のとき、第２の弁装置８が閉鎖状態となる構成（第４の発明）を確実に得る。
【００１９】
本願の第６の発明は、前記第３または第４の発明において、ペン体３を後方に押圧することにより第１の弁装置４が開放状態にあるとき、第２の弁体９と第２の弁座１０との間の毛細間隙にインキが保持されることによって第２の弁装置８が閉鎖状態となることを特徴とする。（図６乃至図１０参照）
【００２０】
前記第６の発明の液式筆記具１は、第２の弁体９と第２の弁座１０との間の液シールによって、第１の弁装置４が開放状態のとき、第２の弁装置８が閉鎖状態となる構成（第４の発明）を容易に得る。
【発明の効果】
【００２１】
本発明の液式筆記具は、インキタンクの内圧上昇した状態でペン体を押圧操作してもインキの吹き出しを防止できるとともに、インキタンク内に多量のインキを収容できる。
【発明を実施するための最良の形態】
【００２２】
＜第１の実施の形態＞
本発明の液式筆記具１の第１の実施の形態を図１乃至図５に示す。
本実施の形態の液式筆記具１は、インキタンク２と、前記インキタンク２の前端に前後方向に移動可能に取り付けられるペン体３と、前記ペン体３の前後方向の移動により開閉する第１の弁装置４及び第２の弁装置８とからなる。
【００２３】
前記インキタンク２は、前端が開口され且つ後端が閉鎖された有底筒体からなる。前記インキタンク２内には、インキ１２が直に貯溜される。前記インキタンク２の前端開口部には、ホルダー２１を介してペン体３が前後方向に移動可能に取り付けられる。前記ホルダー２１は、インキタンク２の前端部に螺着される。前記ホルダー２１の内面により、ペン体３が前後方向に摺動可能に保持される。
【００２４】
前記ペン体３は、多孔質体からなる。前記多孔質体は、インキを毛細管力によって含浸可能なものであればいずれであってもよく、例えば、熱融着フェルト、羊毛フェルトの樹脂加工体、繊維束の樹脂加工体、合成樹脂の連続気孔体等、適宜採用される。
【００２５】
前記ペン体３の後方のインキタンク２の前端開口部内には、第１の弁装置４が設けられる。前記第１の弁装置４は、ペン体３の後端に当接し且つペン体３の後方への押圧により後方に移動可能な第１の弁体５と、前記第１の弁体５を前方に付勢する第１の弾発体７と、前記第１の弁体５と密接可能な第１の弁座６とからなる
【００２６】
前記第１の弁体５は、前側筒体５１と、前記前側筒体５１の後端に固着される中間筒体５２と、前記中間筒体５２の後端に固着される後側筒体５３とからなる。さらに、前記中間筒体５２の後端部外面と前記後側筒体５３の前端部内面との間が、接続筒体５４を介して固着される。前記前側筒体５１、前記中間筒体５２、前記後側筒体５３、及び前記接続筒体５４は、いずれも両端が開口された円筒体である。それにより、第１の弁体５内には、前後方向に通気路５５が貫設される。尚、前記第１の弁体５において、前側筒体５１と、中間筒体５２と、後側筒体５３と、接続筒体５４とを一部材により形成することもできる。
【００２７】
前記前側筒体５１の前端には、切り欠き５１１が径方向に貫設される。前記前側筒体５１の前端はペン体３の後端に当接される。前記前側筒体５１の中間部外面には、環状突起５１２が形成される。前記前側筒体５１の後端開口部内面には、中間筒体５２の前端部が圧入固着される。
【００２８】
前記第１の弁座６は、インキタンク２の前端開口部内面に固着される支持筒体６１と、前記支持筒体６１の内面に固定される弾性筒体６２と、前記弾性筒体６２を前記支持筒体６１に固定する環状の固定部材６３とからなる。
【００２９】
前記支持筒体６１は、前端部の大径部６１１と、前記大径部６１１の後方に連設の中径部６１２と、前記中径部６１２の後方に連設の小径部６１３とからなる。前記大径部６１１の内面に固定部材６３が圧入固着される。前記大径部６１１と中径部６１２の間の段部と、前記固定部材６３の後端面との間で、弾性筒体６２の鍔部６２２が前後方向に挟持固定される。前記中径部６１２にはインキ流通孔６１２ａが貫設される。前記小径部６１３の後端部内面には、環状凸部６１３ａが形成される。前記環状凸部６１３ａの前面に、第１の弾発体７の後端が係止される。前記環状凸部６１３ａの内面と、前記第１の弁体５の外面（具体的には中間筒体５２の外面）とが摺動する。
【００３０】
前記弾性筒体６２は、弾性材料（例えばゴム、エラストマー、軟質合成樹脂等）により形成される。前記弾性筒体６２は、円筒状のシール筒部６２１と、前記シール筒部６２１の前端の外面に一体に形成される円板状の鍔部６２２と、シール筒部６２１の前端の内面に一体に形成される環状の係止壁部６２３とからなる。前記鍔部６２２が、前記支持筒体６１の大径部６１１と中径部６１２の間の段部と、前記固定部材６３の後端面との間で挟持される。前記シール筒部６２１の内面には、第１の弁体５の環状突起５１２が、環状に密接した状態で前後方向に摺動可能（即ち液密摺動可能）である。前記係止壁部６２３の後面は、第１の弁体５の環状突起５１２が密接可能である。前記シール筒部６２１外面と前記支持筒体６１の中径部６１２の内面との間には、環状の隙間が形成され、それにより、第１の弁体５との密接時のシール筒部６２１の径方向外方への変形を容易にする。
【００３１】
前記第１の弾発体７は、圧縮コイルスプリングよりなる。前記第１の弾発体７の前端は、第１の弁体５の前側筒体５１の後端に係止され、前記第１の弾発体７の後端は、前記支持筒体６１の小径部６１３内面の環状凸部６１３ａの前面に係止される。前記第１の弾発体７が、第１の弁体５を前方に常時付勢する。
【００３２】
第２の弁装置８は、第２の弁体９と、前記第２の弁体９を後方に付勢する第２の弾発体１１と、前記第２の弁体９が密接可能な第２の弁座１０とからなる。前記第２の弁座１０は、弾性材料（例えばゴム、エラストマー、軟質合成樹脂等）の環状体により形成され、第２の弁体９により開閉される弁孔を備える。前記第２の弁座１０は、第１の弁体５の後側筒体５３の後端開口部内面に固着される。前記第２の弁座１０の前面は第２の弁体９が密接可能である。前記第２の弁座１０の内面は、前記第２の弁体９の外面が密接可能である。
【００３３】
前記第２の弁体９は、環状壁部９１と、前記環状壁部９１の後方に連設される棒状部９２とからなる。前記環状壁部９１の後面が前側シール部９１１となる。前記棒状部９２の後部外面には径方向外方に拡径された膨出部９２１が形成され、前記膨出部９２１が後側シール部となる。
【００３４】
前記膨出部９２１の外径は、第２の弁座１０の内径より僅かに大きく設定される。それにより、膨出部９２１が第２の弁座１０の内面と環状に密接した状態で前後方向に摺動可能である。また、前記膨出部９２１前方の棒状部９２の外径は、第２の弁座１０の内径（即ち第２の弁座１０の弁孔の内径）より僅かに小さく設定される。それにより、前側シール部９１１と第２の弁座１０との密接が解除され且つ後側シール部と第２の弁座１０との密接が解除されたとき、第２の弁体９と第２の弁座１０との間を空気が流通可能となる。
【００３５】
前記第２の弾発体１１は、圧縮コイルスプリングよりなる。前記第２の弾発体１１の前端は、接続筒体５４の後面に係止され、前記第２の弾発体１１の後端は、第２の弁体９の環状壁部９１の前面に係止される。前記第２の弾発体１１が、第２の弁体９を後方に常時付勢する。
【００３６】
前記第２の弁体９は、第２の弁座１０内（即ち弁孔内）を貫通し、第２の弁座１０より後方に突出される。それにより、第１の弁体５が後方に移動した際、前記第２の弁体９の後端が、インキタンク２底壁に当接可能となる。
【００３７】
本実施の形態の液式筆記具１の作用を説明する。（図１乃至図５参照）
図１は、ペン体３を後方に押圧していない状態を示す。
図１の状態において、第１の弾発体７の前方付勢によって、第１の弁体５（具体的には第１の弁体５の環状突起５１２）が第１の弁座６（具体的には第１の弁座６の環状の係止壁部６２３及び弾性筒体６２のシール筒部６２１の内面）に密接され、第１の弁装置４が閉鎖される。
【００３８】
また、図１の状態において、第２の弾発体１１の後方付勢によって、第２の弁体９（具体的には環状壁部９１の後面の前側シール部９１１）が第２の弁座１０（具体的には第２の弁座１０の前面）に密接され、第２の弁装置８が閉鎖される。
【００３９】
図２は、第１の弾発体７の前方付勢に抗してペン体３を被筆記面等により後方に僅かに押圧し、第２の弁装置８が開放された状態を示す。図３及び図４は、図２の要部拡大図である。
図２の状態において、第１の弁体５（具体的には環状突起５１２）が、第１の弁座６（具体的には弾性筒体６２のシール筒部６２１の内面）と密接され、第１の弁装置４が閉鎖状態となっている。即ち、図１の状態から図２の状態の間において、第１の弁体５（具体的には環状突起５１２）が、第１の弁座６（具体的には弾性筒体６２のシール筒部６２１の内面）に液密摺動され、第１の弁装置４の閉鎖状態が維持される。
【００４０】
また、図２の状態において、第２の弁体９がインキタンク２の底面に当接し、第２の弁体９が第２の弾発体１１の後方付勢に抗して、前方に移動される。このとき、第２の弁体９の環状壁部９１の後面の前側シール部９１１と、第２の弁座１０の前面との密接が解除されると同時に、第２の弁体９の膨出部９２１（即ち後側シール部）と第２の弁座１０の内面とが離間される。それにより、第２の弁体９と第２の弁座１０との密接が解除され、第２の弁装置８が開放される。その結果、インキタンク２内と外気とが、第２の弁装置８、第１の弁体５内の通気路５５、第１の弁体５前端の切り欠き５１１、及びペン体３外面とホルダー２１内面との間を介して連通される。（図２における矢印は空気の流れを示す。）
【００４１】
図５は、さらに図２の状態からペン体３を第１の弾発体７の前方付勢に抗して後方に押圧し、第１の弁装置４が開放された状態を示す。
図５の状態において、第１の弁体５（具体的には環状突起５１２）が、第１の弁座６（具体的には弾性筒体６２のシール筒部６２１の内面）と離間し、第１の弁装置４が開放状態となっている。それにより、インキタンク２内のインキ１２が、支持筒体６１のインキ流通孔６１２ａ、及び第１の弁体５と第１の弁座６との間を通って、ペン体３に供給される。（図５における矢印はインキの流れを示す。）
【００４２】
また、図５の状態において、第２の弁体９がインキタンク２の底面に当接し、第２の弁体９が第２の弾発体１１の後方付勢に抗して、さらに、前方に移動される。このとき、第２の弁体９の膨出部９２１と第２の弁座１０の内面とが環状に密接される。それにより、第２の弁装置８が閉鎖される
【００４３】
本実施の形態の液式筆記具１は、温度上昇等によりインキタンク２内の圧力が上昇した状態でペン体３を押圧操作した場合、第１の弁装置４が開放される以前に前記第２の弁装置８が開放され、インキタンク２内の膨張空気が、前記開放された第２の弁装置８から通気路５５を通って外部に放出される。それにより、インキの吹き出しを防止できる。
【００４４】
また、本実施の形態の液式筆記具１は、ペン体３の下向き状態でインキタンク２の底壁近傍の第２の弁装置８の弁孔より下方位置までインキタンク２内部にインキ１２を収容することができ、それにより、インキタンク２内に多量のインキを収容することができる  
【００４５】
また、本実施の形態の液式筆記具１は、ペン体３を後方に押圧して第１の弁装置４の開放状態を維持したとき、第２の弁装置８が閉鎖状態となるため、第１の弁体５の通気路５５を通してインキタンク２内に外気が導入され続けられることがない。その結果、ペン体押圧時、開放された第１の弁装置４を通してインキと外気とが適正に交替し、ペン体押圧時にペン体３にインキが過剰に供給されるおそれがない。
【００４６】
＜第２の実施の形態＞
本発明の液式筆記具１の第２の実施の形態を図６乃至図１０に示す。
本実施の形態の液式筆記具１は、インキタンク２と、前記インキタンク２の前端に前後方向に移動可能に取り付けられるペン体３と、前記ペン体３の前後方向の移動により開閉する第１の弁装置４及び第２の弁装置８とからなる。本実施の形態は、第１の実施の形態と異なる点は、第２の弁装置８の第２の弁体９の構造である。
【００４７】
前記インキタンク２は、前端が開口され且つ後端が閉鎖された有底筒体からなる。前記インキタンク２内には、インキ１２が直に貯溜される。前記インキタンク２の前端開口部には、ホルダー２１を介してペン体３が前後方向に移動可能に取り付けられる。前記ホルダー２１は、インキタンク２の前端部に螺着される。前記ホルダー２１の内面により、ペン体３が前後方向に摺動可能に保持される。
【００４８】
前記ペン体３は、多孔質体からなる。前記多孔質体は、インキを毛細管力によって含浸可能なものであればいずれであってもよく、例えば、熱融着フェルト、羊毛フェルトの樹脂加工体、繊維束の樹脂加工体、合成樹脂の連続気孔体等、適宜採用される。
【００４９】
前記ペン体３の後方のインキタンク２の前端開口部内には、第１の弁装置４が設けられる。前記第１の弁装置４は、ペン体３の後端に当接し且つペン体３の後方への押圧により後方に移動可能な第１の弁体５と、前記第１の弁体５を前方に付勢する第１の弾発体７と、前記第１の弁体５と密接可能な第１の弁座６とからなる
【００５０】
前記第１の弁体５は、前側筒体５１と、前記前側筒体５１の後端に固着される中間筒体５２と、前記中間筒体５２の後端に固着される後側筒体５３とからなる。さらに、前記中間筒体５２の後端部外面と前記後側筒体５３の前端部内面との間が、接続筒体５４を介して固着される。前記前側筒体５１、前記中間筒体５２、前記後側筒体５３、及び前記接続筒体５４は、いずれも両端が開口された円筒体である。それにより、第１の弁体５内には、前後方向に通気路５５が貫設される。尚、前記第１の弁体５において、前側筒体５１と、中間筒体５２と、後側筒体５３と、接続筒体５４とを一部材により形成することもできる。
【００５１】
前記前側筒体５１の前端には、切り欠き５１１が径方向に貫設される。前記前側筒体５１の前端はペン体３の後端に当接される。前記前側筒体５１の中間部外面には、環状突起５１２が形成される。前記前側筒体５１の後端開口部内面には、中間筒体５２の前端部が圧入固着される。
【００５２】
前記第１の弁座６は、インキタンク２の前端開口部内面に固着される支持筒体６１と、前記支持筒体６１の内面に固定される弾性筒体６２と、前記弾性筒体６２を前記支持筒体６１に固定する環状の固定部材６３とからなる。
【００５３】
前記支持筒体６１は、前端部の大径部６１１と、前記大径部６１１の後方に連設の中径部６１２と、前記中径部６１２の後方に連設の小径部６１３とからなる。前記大径部６１１の内面に固定部材６３が圧入固着される。前記大径部６１１と中径部６１２の間の段部と、前記固定部材６３の後端面との間で、弾性筒体６２の鍔部６２２が前後方向に挟持固定される。前記中径部６１２にはインキ流通孔６１２ａが貫設される。前記小径部６１３の後端部内面には、環状凸部６１３ａが形成される。前記環状凸部６１３ａの前面に、第１の弾発体７の後端が係止される。前記環状凸部６１３ａの内面と、前記第１の弁体５の外面（具体的には中間筒体５２の外面）とが摺動する。
【００５４】
前記弾性筒体６２は、弾性材料（例えばゴム、エラストマー、軟質合成樹脂等）により形成される。前記弾性筒体６２は、円筒状のシール筒部６２１と、前記シール筒部６２１の前端の外面に一体に形成される円板状の鍔部６２２と、シール筒部６２１の前端の内面に一体に形成される環状の係止壁部６２３とからなる。前記鍔部６２２が、前記支持筒体６１の大径部６１１と中径部６１２の間の段部と、前記固定部材６３の後端面との間で挟持される。前記シール筒部６２１の内面には、第１の弁体５の環状突起５１２が、環状に密接した状態で前後方向に摺動可能（即ち液密摺動可能）である。前記係止壁部６２３の後面は、第１の弁体５の環状突起５１２が密接可能である。前記シール筒部６２１外面と前記支持筒体６１の中径部６１２の内面との間には、環状の隙間が形成され、それにより、第１の弁体５との密接時のシール筒部６２１の径方向外方への変形を容易にする。
【００５５】
前記第１の弾発体７は、圧縮コイルスプリングよりなる。前記第１の弾発体７の前端は、第１の弁体５の前側筒体５１の後端に係止され、前記第１の弾発体７の後端は、前記支持筒部の小径部６１３内面の環状凸部６１３ａの前面に係止される。前記第１の弾発体７が、第１の弁体５を前方に常時付勢する。
【００５６】
第２の弁装置８は、第２の弁体９と、前記第２の弁体９を後方に付勢する第２の弾発体１１と、前記第２の弁体９が密接可能な第２の弁座１０とからなる。前記第２の弁座１０は、弾性材料（例えばゴム、エラストマー、軟質合成樹脂等）の環状体により形成され、第２の弁体９により開閉される弁孔を備える。前記第２の弁座１０は、第１の弁体５の後側筒体５３の後端開口部内面に固着される。前記第２の弁座１０の前面は第２の弁体９が密接可能である。前記第２の弁座１０の内面は、前記第２の弁体９の外面が密接可能である。
【００５７】
前記第２の弁体９は、環状壁部９１と、前記環状壁部９１の後方に連設される棒状部９２とからなる。前記環状壁部９１の後面が第２の弁座１０の前面に密接される。
【００５８】
前記棒状部９２の外径は、第２の弁座１０の内径（即ち第２の弁座１０の弁孔の内径）より僅かに小さく設定される。それにより、前記環状壁部９１と第２の弁座１０との密接が解除されたとき、第２の弁体９と第２の弁座１０との間を空気流通可能となる。
【００５９】
前記第２の弾発体１１は、圧縮コイルスプリングよりなる。前記第２の弾発体１１の前端は、接続筒体５４の後面に係止され、前記第２の弾発体１１の後端は、第２の弁体９の環状壁部９１の前面に係止される。前記第２の弾発体１１が、第２の弁体９を後方に常時付勢する。
【００６０】
前記第２の弁体９は、第２の弁座１０内（即ち弁孔内）を貫通し、第２の弁座１０より後方に突出される。それにより、第１の弁体５が後方に移動した際、前記第２の弁体９の後端が、インキタンク２底壁に当接可能となる。
【００６１】
本実施の形態の液式筆記具１の作用を説明する。（図６乃至図１０参照）
図６は、ペン体３を後方に押圧していない状態を示す。
図６の状態において、第１の弾発体７の前方付勢によって、第１の弁体５（具体的には第１の弁体５の環状突起５１２）が第１の弁座６（具体的には第１の弁座６の環状の係止壁部６２３及び弾性筒体６２のシール筒部６２１の内面）に密接され、第１の弁装置４が閉鎖される。
【００６２】
また、図６の状態において、第２の弾発体１１の後方付勢によって、第２の弁体９（具体的には環状壁部９１の後面）が第２の弁座１０（具体的には第２の弁座１０の前面）に密接され、第２の弁装置８が閉鎖される。
【００６３】
図７は、第１の弾発体７の前方付勢に抗してペン体３を被筆記面等により後方に僅かに押圧し、第２の弁装置８が開放された状態を示す。図８及び図９は、図７の要部拡大図である。
図７の状態において、第１の弁体５（具体的には環状突起５１２）が、第１の弁座６（具体的には弾性筒体６２のシール筒部６２１の内面）と密接され、第１の弁装置４が閉鎖状態となっている。即ち、図４の状態から図５の状態の間において、第１の弁体５（具体的には環状突起５１２）が、第１の弁座６（具体的には弾性筒体６２のシール筒部６２１の内面）に液密摺動され、第１の弁装置４の閉鎖状態が維持される。
【００６４】
また、図７の状態において、第２の弁体９がインキタンク２の底面に当接し、第２の弁体９が第２の弾発体１１の後方付勢に抗して、前方に移動される。このとき、第２の弁体９の環状壁部９１の後面と、第２の弁座１０の前面とが離間し、それにより、第２の弁装置８が開放される。その結果、インキタンク２内と外気とが、第２の弁装置８、第１の弁体５内の通気路５５、第１の弁体５前端の切り欠き５１１、及びペン体３外面とホルダー２１内面との間を介して連通される。（図７における矢印は空気の流れを示す。）
【００６５】
図１０は、さらに図７の状態からペン体３を第１の弾発体７の前方付勢に抗して後方に押圧し、第１の弁装置４が開放された状態を示す。
図１０の状態において、第１の弁体５（具体的には環状突起５１２）が、第１の弁座６（具体的には弾性筒体６２のシール筒部６２１の内面）と離間し、第１の弁装置４が開放状態となっている。それにより、インキタンク２内のインキ１２が、支持筒体６１のインキ流通孔６１２ａ、及び第１の弁体５と第１の弁座６との間を通って、ペン体３に供給される。（図１０における矢印はインキの流れを示す。）
【００６６】
また、図１０の状態において、第２の弁体９がインキタンク２の底面に当接し、第２の弁体９が第２の弾発体１１の後方付勢に抗して、さらに、前方に移動される。このとき、第２の弁体９の棒状部９２の外面と第２の弁座１０の内面（即ち第２の弁座１０の弁孔の内面）との間に毛細間隙が形成され、その毛細間隙に、インキタンク２内のインキが保持される。前記保持インキにより、第２の弁装置８が一時的に液シール状態となり、第２の弁装置８が一時的に閉鎖状態となる。
【００６７】
本実施の形態の液式筆記具１は、温度上昇等によりインキタンク２内の圧力が上昇した状態でペン体３を押圧操作した場合、第１の弁装置４が開放される以前に前記第２の弁装置８が開放され、インキタンク２内の膨張空気が、前記開放された第２の弁装置８から通気路５５を通って外部に放出される。それにより、インキの吹き出しを防止できる。
【００６８】
また、本実施の形態の液式筆記具１は、ペン体３の下向き状態でインキタンク２の底壁近傍の第２の弁装置８の弁孔より下方位置までインキタンク２内部にインキ１２を収容することができ、それにより、インキタンク２内に多量のインキを収容することができる  
【００６９】
また、本実施の形態の液式筆記具１は、ペン体３を後方に押圧して第１の弁装置４の開放状態を維持したとき、第２の弁装置８が閉鎖状態となるため、第１の弁体５の通気路５５を通してインキタンク２内に外気が導入され続けられることがない。その結果、ペン体押圧時、開放された第１の弁装置４を通してインキと外気とが適正に交替し、ペン体押圧時にペン体３にインキが過剰に供給されるおそれがない。
【図面の簡単な説明】
【００７０】
【図１】本発明の第１の実施の形態のペン体を押圧する前の状態を示す縦断面図である。
【図２】本発明の第１の実施の形態のペン体を僅かに押圧した状態を示す縦断面図である。
【図３】図２の第１の弁装置を示す要部拡大縦断面図である。
【図４】図２の第２の弁装置を示す要部拡大縦断面図である。
【図５】本発明の第１の実施の形態のペン体を深く押圧した状態を示す縦断面図である。
【図６】本発明の第２の実施の形態のペン体を押圧する前の状態を示す縦断面図である。
【図７】本発明の第２の実施の形態のペン体を僅かに押圧した状態を示す縦断面図である。
【図８】図７の第１の弁装置を示す要部拡大縦断面図である。
【図９】図７の第２の弁装置を示す要部拡大縦断面図である。
【図１０】本発明の第２の実施の形態のペン体を深く押圧した状態を示す縦断面図である。
【符号の説明】
【００７１】
１  液式筆記具
２  インキタンク
２１  ホルダー
３  ペン体
４  第１の弁装置
５  第１の弁体
５１  前側筒体  
５１１  切り欠き
５１２  環状突起
５２  中間筒体
５３  後側筒体
５４  接続筒体
５５  通気路
６  第１の弁座
６１  支持筒体
６１１  大径部
６１２  中径部
６１２ａ  インキ流通孔
６１３  小径部
６１３ａ  環状凸部
６２  弾性筒体
６２１  シール筒部
６２２  鍔部
６２３  係止壁部
６３  固定部材
７  第１の弾発体
８  第２の弁装置
９  第２の弁体
９１  環状壁部
９１１  前側シール部
９２  棒状部
９２１  膨出部（後側シール部）
１０  第２の弁座
１１  第２の弾発体
１２  インキ
【図１】
2008137348.tif 000003
【図２】
2008137348.tif 000004
【図３】
2008137348.tif 000005
【図４】
2008137348.tif 000006
【図５】
2008137348.tif 000007
【図６】
2008137348.tif 000008
【図７】
2008137348.tif 000009
【図８】
2008137348.tif 000010
【図９】
2008137348.tif 000011
【図１０】
2008137348.tif 000012